(57)【要約】【課題】ホッパー１内に収容した成分配合比率の異なるペレット９をホッパー１の上部に循環させ、全体としてペレットの比率配分を均一な状態とする混合装置を提供する。【解決手段】ホッパー１内に収容する成分配合比率を異にするペレット９をホッパー１に循環して混在させる混合装置において、ホッパー１の下部に斜め上向きに突設した吸引管４をエアー噴出管１０で囲んで二重管構造とし、噴出管１０からホッパー１内に筒状に噴出したエアーを吸引管４に吸い込み可能とし、ホッパー１内のペレット９を巻き込んで吸い出すようにしてある。【選択図】　図１
2004074659.tif 000002
【特許請求の範囲】
【請求項１】
ホッパー１内に収容する成分配合比率を異にするペレット９をホッパー１に循環して混在させる混合装置において、ホッパー１の下部に斜め上向きに突設した吸引管４をエアー噴出管１０で囲んで二重管構造とし、噴出管１０からホッパー１内に噴出したエアーをペレットを同伴して吸引管４に吸い込み可能としたことを特徴とする粒状物の混合装置。
【発明の詳細な説明】
【０００１】
【発明の属する技術分野】
本発明は、樹脂ペレットのような個々の成分配合比率を異にする粒状物を混在させ、全体的に成分配合比率を均質化するための粒状物の混合装置に関するものである。
【０００２】
【従来の技術】
プラスチック製品の成型用として樹脂ペレットが使用されている。樹脂粉と比較して保管、運搬等が便利な樹脂ペレットは、メーカーにおいて生産され、出荷されているが、個々のペレットが含有する成分配合比率は必ずしも均一な状態ではない。
【０００３】
例えば、Ａ、Ｂ、Ｃ、Ｄと４種類の粉末材料を原料としてペレットを生産する場合、各原料は混合した上で溶融、冷却等の処理をした後にペレット化されるが、多数のペレットの内、あるペレット群にはＡ成分が多く含まれ、あるペレット群にはＢ成分が多く含まれるという現象が生じ、生産工程におけるペレット群によって含有する成分配合比率が異なっていることがある。
【０００４】
このようなペレットは生産工程を経てホッパーに送られて保管され、必要に応じて取り出してプラスチック製品の成型工程に送られるが、前記のようにペレット群によって内容成分を異にしている場合には、ホッパー内にはＡ成分が多いペレット、Ｂ成分が多いペレットと成分配合比率が異なるペレットが送られた順に層を異にして積層されることになる。従って、ホッパーの下方からペレットを取り出した時、Ａ成分が多いペレットが取り出されたり、Ｂ成分を多く含むペレットが取り出されることになる。その結果は、成型されたプラスチック製品の材質に影響を与えるものであった。
【０００５】
従来、上記するようにペレット群によって成分配合比率が均一でないことを考慮し、ホッパー内に収容したペレットを下方から引き出して上方に送り、ホッパー内に循環させ混合して成分を異にするペレットが混ざり合うようにし、全体として成分配合比率が均質な状態となるようにしていた。
【０００６】
即ち、図２に示すようにホッパー１の上部に樹脂ペレットの投入口２が設けてあり、ペレットのみがホッパー１内に投入され、エアーや粉塵等は外部に抜き取るようになっている。ホッパー１内では前記したように成分比率を異にするペレット群が上下に積層状態となっているので、ホッパー１の下方からペレットを引き出し上部のサイクロン３を通してペレットをホッパー１内に循環させていた。
【０００７】
このため、ホッパー１下部の円錐状とした傾斜面には吸引装置が設けてある。従来の吸引装置は、図３に示すように斜め上方に向けてホッパー１に突設したペレットの吸引管４と、この吸引管４の側面に連結した外気吸引管５とからなっている。そして、吸引管４とホッパー１上部に設けたサイクロン３とを流通管６により接続するとともに吸引管４には外部からエアーを吸引するようになっており、かつ、サイクロン３にはフィルタ７を介してプロア８が配管により接続してある。
【０００８】
このような構成において、ブロア８を作動させれば外気吸引管５を通して吸引管４内にエアーを吸引することになるので、吸引管４に吸引されたエアーはＡ矢印の方向に引き抜かれ流通管６を通してサイクロン３に達する。
【０００９】
この時のエアーの吸引作用によってホッパー１内のペレット９は吸引管４内に吸い込まれ、流通管６を通ってサイクロン３に送られホッパー１に循環して供給されることになる。これを繰り返し行うことにより、ホッパー１内のペレット９はＡ成分の多いペレット９やＢ成分の多いペレット９等が混ざり合うことになり、全体として成分配合比率が均質な状態になるようにしていた。
【００１０】
【発明が解決しようとする課題】
上記する従来の循環装置においては、吸引管４の途中に外気吸引管５を接続し、エアーの吸引作用によってホッパー１内のペレット９を流通管６方向へ引き抜くようにしている。しかし、ペレット９はホッパー１内に詰め込まれた状態となっているので、エアー吸引だけではペレット９を連続して引き抜くことは非常に難しいものであった。特に、ペレット９は小さな塊であるが、ホッパー１内に詰め込まれたペレット９相互が接触して大きな塊状態となっており、吸引口の回りに固まって吸引管４から引き抜くのが困難であった。
【００１１】
本発明は上記する従来の粒状物を循環させて混合する装置において使用している吸引装置に鑑み、エアーをホッパー内に送り込み、ペレットを巻き込むようにしてホッパー外に吸引し、ペレットを効率よく連続して引き出すことのできる吸引装置を有する粒状物の混合装置を提供することを目的とするものである。
【００１２】
【課題を解決するための手段】
上記する目的を達成するために本発明混合装置は、ホッパー１内に収容する成分配合比率を異にするペレット９をホッパー１に循環して混在させる混合装置において、ホッパー１の下部に斜め上向きに突設した吸引管４をエアー噴出管１０で囲んで二重管構造とし、噴出管１０からホッパー１内にエアーを噴出可能としてある。
【００１３】
【発明の実施の形態】
以下、図面に従って、本発明の実施の形態を詳細に説明する。
図１は、ペレット９を収容、保管する従来のホッパー１の下部円錐状傾斜面に設置した吸引装置であり、ホッパー１の側面に斜め上方を向くように突設した吸引管４の回りをエアー噴出管１０によって囲んで二重管構造としたものである。エアー噴出管１０は、一端を密閉し、他端の開口部をホッパー１に向けて連結してあり、更に、エアー噴出管１０の側面には外気吸引管５が連結してある。尚、その他の構成（ペレット投入口２、サイクロン３、ブロア８等）は前記した図２と同じであるので省略してある。
【００１４】
吸引装置は上記の構成であるから、外気吸引管５を通して噴出管１０内にエアーを噴射させれば、エアーはホッパー１内に筒状に噴出することになる。吸引管４は流通管６によってサイクロン３に接続しており、かつ、ブロア８はサイクロン３からエアーを吸引しているので、ホッパー１内に噴出したエアーは吸引管４に吸い込まれ、流通管６を通ってサイクロン３に達するエアー流通路が形成される。そして、ホッパー１に噴出したエアーを吸引管４内に吸い込む時、ペレット９を同伴して巻き込むようにして吸い込むことになる。
【００１５】
特に、噴出管１０からのエアーの噴出によってペレット９には噴出圧が加わるので吸引口周辺のペレット９は流動状態となり、エアーが吸引管４内に流入する時、個々のペレット９は吸い込みやすくなっているので、ペレット９を連続してサイクロン３まで送り出し、ホッパー１内に循環させるので成分配合比率の異なるペレット９が混在するようになる。尚、吸引装置は、ホッパー１の大きさに応じて複数設置することができる。
【００１６】
【発明の効果】
以上、説明した本発明によれば、エアーをホッパー１内に噴出させた時、ホッパー１内に詰め込まれているペレット９に圧力を加えて流動性を付与するので、エアーを吸引管４に吸い込む際、ペレット９を巻き込むようにして吸い込みやすくなり、ペレット９は連続してサイクロン３を通ってホッパー１内に循環することになる。その結果、ホッパー１内に成分配合比率が異なるペレット群が積層していても連続して循環させることにより、ホッパー１内におけるペレット９は、個々において成分配合比率が異なるとしても混在することにより全体として均質な状態となる。
【図面の簡単な説明】
【図１】本発明混合装置に使用する吸引装置の一実施形態を示す断面図である。
【図２】従来の混合装置の一例を示す概略正面図である。
【図３】従来の混合装置に使用する吸引装置の断面図である。
【符号の説明】
１　ホッパー
２　ペレット投入口
３　サイクロン
４　吸引管
５　外気吸引管
６　流通管
７　フィルタ
８　ブロア
９　ペレット
１０　エアー噴出管
【図１】
2004074659.tif 000003
【図２】
2004074659.tif 000004
【図３】
2004074659.tif 000005